(57)【要約】【課題】オーナーがホールに不在であっても、通信によって外部から売上金入金処理結果を確認でき、さらには、外部からの通信により処理確定の承認を行うことができる売上金入金処理装置を提供すること。【解決手段】売上金入金処理装置にて入金処理された結果の使途別の金額情報と、ホールコンピュータから受信した使途別の現金仕分けデータとを、通信手段を介して予め指定された携帯電話やパソコンに送信し、該携帯電話等からの指令に基づいて、入金処理の確定を行う入金処理確定手段を備えることにより達成される。【選択図】図５
2005275834.tif 000002
【特許請求の範囲】
【請求項１】
処理すべき紙幣を一括で受け入れる紙幣受入部と、
該紙幣受入部に受け入れた紙幣を１枚ずつ繰り出して搬送する繰出搬送部と、
該繰出搬送部の下流側に位置し、前記繰出搬送部によって搬送される紙幣の金種を識別する金種識別部と、
該金種識別部の下流側に位置し、搬送される紙幣を使途別に仕分ける仕分部と、
該仕分部によって仕分けられた紙幣を各々収納する複数の収納部と、
外部機器とのデータの送受信を行う通信手段と、
を備えた遊技店における売上金入金処理装置において、
前記通信手段を介して、ホールコンピュータから受信した使途別の現金仕分けデータに基づいて前記紙幣受入部で受け入れた紙幣を前記複数の収納部の何れかに仕分けるとともに、
前記売上金入金処理装置にて入金処理された結果の使途別の金額情報と、前記ホールコンピュータから受信した使途別の現金仕分けデータとを、前記通信手段を介して予め指定された外部機器に送信し、該外部機器からの指令に基づいて、前記入金処理の確定を行う入金処理確定手段をさらに備えたことを特徴とする売上金入金処理装置。
【請求項２】
前記外部機器は、携帯電話又はパーソナルコンピュータであり、前記売上金入金処理装置との通信は電子メールで行われることを特徴とする請求項１に記載の売上金入金処理装置。
【発明の詳細な説明】
【技術分野】
【０００１】
本発明はパチンコ店等の遊技店の店舗内に設置される紙幣の売上金入金処理装置に関するもので、特に現金データを送信可能とすると共に、外部からの指示に基づいて入金確定処理を行う売上金入金処理装置に関する。
【背景技術】
【０００２】
パチンコ店等の遊技店における売上金入金処理に好適な紙幣の売上金入金処理装置については、本出願人が先に提案したものがある（特許文献１参照。）。
前記売上金入金処理装置は、粗利益については紙幣カセットに送り、特殊景品交換代金についてはバラ収納部に送り、両替準備金（店内準備金）については束収納部に送る様になっている。そして、入金処理が確定した段階で前記紙幣カセットは遊技店と委託関係のある警備会社の警備員によって、カセットごと回収され、指定の銀行口座に入金される運用がとられている。
上記入金処理の確定に際しては、従来は遊技店の店長クラスの責任者が確認を行っていたが、遊技店のオーナーによっては、自分自身で確認を行ってから入金処理確定の承認を行う者もいる。最終的な売上の確認は閉店後のホールコンピュータのデータと現金集計のデータとの突き合せが必須であるが、この２点を確認する為にはオーナーがホール内にいなければならないので、オーナーがホールに来るまでは入金処理を確定させることができない。
【０００３】
また、売上金入金処理装置による入金処理業務は、通常、営業の終了した深夜に行われることから、オーナーが到着するまで待っていると更なる深夜作業が発生してしまう。
さらには、オーナーの指示に基づいて入金処理内容の承認がなされ場合、チェーン店が複数あった場合には、オーナーが立ち会えない店が存在する。
もし、ホールコンピュータの現金データと突き合せを行わず、売上金入金処理装置だけで集計した場合、売上金入金処理装置での集計前に売上金の一部を抜き取る等の内部不正が行われても、発見をすることが難しい。
従って、オーナーがホールコンピュータの売上データと売上金入金処理装置での集計データとの突き合せを行った上で処理確定の承認を行うことが強く望まれている。
【特許文献１】特開２００４−５４４５６号公報
【発明の開示】
【発明が解決しようとする課題】
【０００４】
本発明は、上述のような遊技店における事情に鑑みなされたものであり、本発明の目的は、オーナーがホールに不在であっても、通信によって外部から売上金入金処理結果を確認でき、さらには、外部からの通信により処理確定の承認を行うことができる売上金入金処理装置を提供することにある。
【課題を解決するための手段】
【０００５】
本発明は、パチンコ店等の遊技店の店舗内に設置される紙幣の売上金入金処理装置に関するもので、本発明の上記目的は、処理すべき紙幣を一括で受け入れる紙幣受入部と、該紙幣受入部に受け入れた紙幣を１枚ずつ繰り出して搬送する繰出搬送部と、該繰出搬送部の下流側に位置し、前記繰出搬送部によって搬送される紙幣の金種を識別する金種識別部と、該金種識別部の下流側に位置し、搬送される紙幣を使途別に仕分ける仕分部と、該仕分部によって仕分けられた紙幣を各々収納する複数の収納部と、外部機器とのデータの送受信を行う通信手段とを備えた遊技店における売上金入金処理装置において、
前記通信手段を介して、ホールコンピュータから受信した使途別の現金仕分けデータに基づいて前記紙幣受入部で受け入れた紙幣を前記複数の収納部の何れかに仕分けるとともに、前記売上金入金処理装置にて入金処理された結果の使途別の金額情報と、前記ホールコンピュータから受信した使途別の現金仕分けデータとを、前記通信手段を介して予め指定された外部機器に送信し、該外部機器からの指令に基づいて、前記入金処理の確定を行う入金処理確定手段をさらに備えたことを特徴とする売上金入金処理装置によって達成される。
【０００６】
また、本発明の上記目的は、前記外部機器を携帯電話又はパーソナルコンピュータとし、前記売上金入金処理装置との通信を電子メールで行うことにより、効果的に達成される。
【発明の効果】
【０００７】
本発明に係る売上金入金処理装置によれば、売上金入金処理装置での集計結果を遊技店のオーナーにメール送信し確認を促す為、オーナー等が詳細な集計結果の確認が即時に可能で、売上処理の決裁をホール外部から指示する事ができる。
また、集計結果の確認をホールオーナーがメール送信で自動的にできるので、店長クラスの深夜作業が軽減でき、人件費が減る為、現金集計、集計後のコスト、管理労力が削減される。
さらには、売上金入金処理装置の集計結果とホールコンピュータの売上データを突き合わせてメール送信するので、違算が発生した場合、即時確認でき、また不正行為の抑止力ともなり得る。
【発明を実施するための最良の形態】
【０００８】
本発明に係る売上金入金処理装置について、図面を参照しつつ説明する。
図１は、本発明の売上金入金処理装置の外観を示すものであり、同図中、１は紙幣受入部、２は金額情報やメールアドレス等を入力する入力部である。
【０００９】
図２は、上記売上金入金処理装置の内部を示す断面である。同図中、１は紙幣受入部、２は入力部、３は繰出搬送部、４は金種識別部、５は仕分部、６は結束部、７は両替機／遊技カード販売機用釣り銭用紙幣の束収納部、８は特殊景品交換代金用紙幣のバラ収納部、９は粗利益収納部としての紙幣カセット、１０は紙幣カセットと接続される一時保留部である。なお、前記売上金入金処理装置は図示しない通信接続部１３も備えており、外部機器（ホールコンピュータまたは、外部のパソコン若しくは携帯電話等）と相互に通信を行うことができるようになっている。
【００１０】
図３は、前記売上金入金処理装置の制御系を示すブロック図である。制御部１１は、入力部２、金種識別部４、仕分部５、結束部６及び通信接続部１３を所定の制御プログラムに従って制御するものである。また、制御部１１は、演算制御を行うＣＰＵ１１１と、前記制御プログラムが格納されているＲＯＭ１１２と作業メモリであるＲＡＭ１１３を含むものである。さらに、制御部１１には記憶部１２が接続されており、取り込んだ紙幣の金種、枚数、格納場所等のデータを記憶するためのものである。ここで、同図中の通信接続部１３は、遊技店に設置されるホールコンピュータとオンライン接続したり、外部のパソコンや携帯電話等にインターネット等のネットワークを介して通信を行ったりするためのものである。
【００１１】
図４は、遊技店に設置される売上金入金処理装置、遊技カード販売機及びその他の機器と、ホールコンピュータとのオンライン接続状況を示す図である。また、前記売上金入金処理装置は、さらにインターネット等のネットワークを介して、ホールオーナー等のパソコンや携帯電話と通信が可能になっている。
【００１２】
以下、遊技店での営業終了時における、本発明に係る売上金入金処理装置による入金処理について、図５のフローチャートに基づいて説明する。
まず、入力部２にて、売上金入金処理装置での集計結果と後述のホールコンピュータからの現金データとを電子メール等でオーナー等に送信するために、オーナー等のパソコンや携帯電話のメールアドレスを入力（登録）する（図６参照）。メールアドレスの登録は初回のみ行えばよい。また、自動送信か手動送信とするかの選択をここで行う（ステップＳ１）。
【００１３】
次に、ホールの閉店時にホールコンピュータから店内の現金データが送信されるので、それを受信して、次のステップＳ３における入金処理に利用する（ステップＳ２）。
図７はホールコンピュータから売上金入金処理装置に送られる現金データの一例を示すものであるが、図７での店内現金合計とは、具体的には、(1)両替機に存在する紙幣の額、(2)遊技カード販売機に存在する紙幣の額、(3)台間玉貸機／台間メダル貸機に存在する紙幣の額の各々を合算した額である。
これら両替機、遊技カード販売機、台間玉貸機／台間メダル貸機の各々はホールコンピュータに通信接続されていて、各々の金額情報がホールコンピュータに吸い上げられているので、店内現金合計はホールコンピュータが把握している。
【００１４】
特殊景品交換代金とは、特殊景品買い取り業者から特殊景品を購入するための代金であって、翌日の営業のために本日の売上金の中から調達すべきものであり、万円札、五千円札、千円札の３金種で用意される。ホールコンピュータは、接続されている特殊景品自動払出機や景品交換レジからの景品払出しデータを吸い上げて、この実績を基にして翌日の特殊景品交換代金の準備額を決める。図７に記載されている特殊景品交換代金とは、明日の営業のために準備すべき金額を示している。
また、店内準備金とは、翌日の営業のために確保するものであって、具体的には両替機や遊技カード販売機の釣銭用として装填するもので、千円札のみで構成される。
粗利益とは、店内現金合計から特殊景品交換代金と店内準備金とを差し引いた残りである。
この特殊景品交換代金は、翌日の営業形態（例えば新装開店大出血サービス等）によっては、ホールコンピュータの決定する金額ではなく、オーナー等の考えで修正する場合があり、売上金入金処理装置での入金処理の確定をオーナーの承認の下に行う意義がここにある。
【００１５】
次に、ホール内各機器から回収した紙幣を売上金入金処理装置を用いて、前記ホールコンピュータから受信した現金データに基づいて各使途別に振り分ける入金処理を行う（ステップＳ３）。入金処理の結果、店内準備金は束収納部７へ、特殊景品交換代金はバラ収納部８へ、粗利は紙幣カセット９と接続される一時保留部１０に収納される。なお、この処理の詳細については、前記特許文献１に記載されているので、ここでは省略する。
【００１６】
前記売上金入金処理装置による入金処理が終わると、前記ホールコンピュータから受信した現金データと、前記売上金入金処理装置によって計数処理された集計結果とが、オーナー等の携帯電話やパソコンに対して、例えば電子メールによって送られる（ステップＳ４）。送られるデータは、例えば図８に記載したように、両データが比較可能になっているものである。
両データを受信したオーナー等が比較データを確認し（ステップＳ５）、問題がなければ返信を行うことにより、売上金入金処理装置に対して入金処理の確定を指令する（ステップＳ６）。入金処理の確定とは、具体的には、前記一時保留部１０に収納されている粗利を紙幣カセット９に投下することであり、これによって紙幣カセットからは現金を取り出すことができなくなるので、入金処理が確定することになる。
【００１７】
一方、図８の集計結果において、ホールコンピュータ現金データと売上金入金処理装置での集計結果とが一致しなかった場合、若しくはオーナー等の考えにより特殊景品交換代金等を増やしたいと思うような場合は、その旨をホール現場責任者に対して指示し（ステップＳ７）、ホール現場責任者は、入力部２から修正データを入力し（ステップＳ８）、入金処理をやりなおす（ステップＳ３に戻る。）。
このようにして、最終的にホールのオーナー等の承認があるまで繰り返す。
なお、上記データの送信は、ホールのオーナーのみではなく、ホールが本店、支店に分かれている場合はメールで集計結果を本店管理コンピュータや、支店長の携帯電話、パソコン等に通知してもよい。
【図面の簡単な説明】
【００１８】
【図１】本発明の売上金入金処理装置の外観を示す図である。
【図２】売上金入金処理装置の内部を示す断面図である。
【図３】売上金入金処理装置の制御系を示すブロック図である。
【図４】遊技店に設置される売上金入金処理装置、遊技カード販売機及びその他の機器と、ホールコンピュータとのオンライン接続状況を示す図である。
【図５】本発明に係る売上金入金処理装置による入金処理についてのフローチャートの一例である。
【図６】集計結果送信先の登録画面の一例である。
【図７】ホールコンピュータから売上金入金処理装置に送られる現金データの一例を示すものである。
【図８】売上金入金処理装置から外部に送信される集計結果データの一例を示す図である。
【符号の説明】
【００１９】
１  紙幣受入部
２  入力部
３  繰出搬送部
４  金種識別部
５  仕分部
６  結束部
７  束収納部
８  バラ収納部
９  紙幣カセット
１０  一時保留部
１１  制御部
１２  記憶部
１３  通信接続部
【図１】
2005275834.tif 000003
【図２】
2005275834.tif 000004
【図３】
2005275834.tif 000005
【図４】
2005275834.tif 000006
【図５】
2005275834.tif 000007
【図６】
2005275834.tif 000008
【図７】
2005275834.tif 000009
【図８】
2005275834.tif 000010